(57)【特許請求の範囲】
【請求項１】
ヒーター等によって加熱される薬液が供給される薬液タンクと、該薬液タンクよりの薬液が通過するホースと、該ホースに供給された薬液を吐出する薬液し管とからなる医療用消毒液加熱装置において、
所定温度以上の薬液が通過すると伸長する形状記憶合金による第１のスプリングと、該第１のスプリングの定常状態におけるバネ力と均衡するバネ力を有する第２のスプリングと、前記第１および第２のスプリングの間に介在され、前記第１のスプリングが所定温度以上の薬液の通過によって伸長し、前記第２のスプリングのバネ力に打ち勝つと薬液の通過を遮断するプランジャーとから構成した安全バルブを前記薬液し管の下流側の前記ホースに接続したことを特徴とする医療用消毒液加熱装置における安全装置。
【発明の詳細な説明】
【０００１】
【発明の属する技術分野】
本発明は産婦人科や泌尿器科等の診療ユニットに設けられ、保温された薬液をポンプ等でし管から吐出させるようにした医療消毒液加熱装置の安全装置に関する。
【０００２】
【従来の技術】
従来の医療消毒液加熱装置においては、ヒータによって一定温度に加熱された消毒液が薬液タンク内に溜められ、薬液を患部に吐出するための薬液し管等に設けられたレバーを操作することによって、ポンプが駆動され薬液タンク内の薬液が吐出され、患部を消毒するようにしている。
【０００３】
この種の医療消毒液加熱装置において、薬液タンク内の薬液をポンプによって洗浄し管から温度監視を行わないで直接吐出するもの、また吐出する薬液の温度を検知するために薬液タンク内に温度検知器等が設けられているものがある。
【０００４】
【発明が解決しようとする課題】
ところで、前記した従来例にあっては、薬液タンク内の薬液をポンプによって洗浄し管から温度監視を行わないで直接吐出するものにおいては、薬液タンク内の温度が異常に高くなっていてもそのまま吐出されることから危険性を伴うといった問題があった。
【０００５】
また吐出する薬液の温度を検知するために薬液タンク内に温度検知器等が設けられているものについては、温度検知器等の故障等により温度検知器が動作しない場合など、異常に高い薬液が吐出するという問題点があった。
【０００６】
本発明は前記した問題点を解決せんとするもので、その目的とするところは、薬液タンクと洗浄し管を接続するパイプに流通する薬液温度が一定値を越えた場合に遮断することから安全性が高められた医療消毒液加熱装置の安全装置を提供せんとするにある。
【０００７】
【課題を解決するための手段】
本発明の医療用消毒液加熱装置における安全装置は前記した目的を達成せんとするもので、その手段は、ヒーター等によって加熱される薬液が供給される薬液タンクと、該薬液タンクよりの薬液が通過するホースと、該ホースに供給された薬液を吐出する薬液し管とからなる医療用消毒液加熱装置において、所定温度以上の薬液が通過すると伸長する形状記憶合金による第１のスプリングと、該第１のスプリングの定常状態におけるバネ力と均衡するバネ力を有する第２のスプリングと、前記第１および第２のスプリングの間に介在され、前記第１のスプリングが所定温度以上の薬液の通過によって伸長し、前記第２のスプリングのバネ力に打ち勝つと薬液の通過を遮断するプランジャーとから構成した安全バルブを前記薬液し管の下流側の前記ホースに接続したことを特徴とする。
【０００９】
【発明の実施の形態】
以下、本発明に係る医療消毒液加熱装置における安全装置の実施の形態を図１〜３図２と共に説明する。
【００１０】
図１は安全バルブが設けられる医療消毒液加熱装置の全体図、図２は安全バルブの開状態を示す断面図であり、図３は安全バルブの閉状態を示す断面図である。本発明に使用される医療消毒液加熱装置は、１が薬液タンクであり、薬液タンク１には、薬液を加熱するためのヒータ１ａが設けられ、また薬液の量を確認するためのフロースイッチが設けられ、さらには薬液タンク１内の薬液の温度を検知している温度検知器１ｃが設けられている。
【００１１】
２は薬液タンク１からの薬液を排出するための排出口、３は薬液を通過させるためのホースであり、該ホースはポンプ４に連通されている。
従って、前記ポンプ４を作動させると薬液タンク１内の薬液がホース２を通過してポンプ４に送り込まれる。
【００１２】
５は開閉バルブであり、６は循環のためのホースである。薬液タンク内１の薬液を使用しない場合などポンプ４へ負荷を低減させるために薬液を循環させるようにしている。
７はホース、８は安全バルブであり、９はホース、１０は薬液を吐出する薬液し管である。
【００１３】
従って、ポンプ４を動作させると該ポンプ４を通過する薬液は、ホース７を通って安全バルブ８に入り、ホース９を経て前記薬液し管１０から吐出され、患者等の患部の消毒洗浄が行われるように構成されている。なお、薬液し管１０はレバー等を操作することによりスイッチがオンとなり制御装置等を介してポンプ４を駆動するようになっている。
【００１４】
前記したポンプ４等の性能によってはこの循環方式のものは採用せず、直接ホース７、安全バルブ８を通って薬液し管１０に通液することもできる。
【００１５】
以上の構成から、薬液タンク１内の温度検知器１ｃ等の故障等により、異常に高くなった薬液タンク１内の薬液がホース７に通過して、前記した安全タンク８に流れ込み、薬液の温度が異常に高いことを検知して前記した安全バルブ８が作動して薬液の通過を遮断するようになっている。
【００１６】
次に、前記安全バルブ８の具体的な構造について説明する。８ａはジョイントブロックにして、両端に継手８ｂ，８ｃが接続されている。また、ジョイントブロック８ａの入水側には弁座８ａ１が形成され、かつ、内部を移動可能なプランジャー８ｄが収容されると共に、該プランジャー８ｄの一端には前記弁座８ａ１と接触することにより閉止状態とする弁部８ｄ１が形成されている。
【００１７】
８ｅは一定温度以上の温度の薬液が通過した時に伸長する形状記憶合金からなる第１のスプリング、８ｆは一定の反発力を発生する第２のスプリングにして、第１のスプリング８ｅは出水側に、第２のスプリング８ｆは入水側に前記プランジャ８ｄを挟んで前記ジョイントブロック８ａ内に収容されている。
【００１８】
このように構成した安全バルブ８は、予め設定した温度以下において第１のスプリング８ｅは収縮した状態を保持しているので、第２のスプリング８ｆのバネ力が勝ってプランジャー８ｄを図２に示すように右方向に移動されている。従って、プランジャー８ｄの弁部８ｄ１と弁座８ａ１との間は離れ、薬液は通過する。
【００１９】
通過する薬液の温度が何らかの理由によって予め設定した温度以上の温度になった場合には、第１のスプリング８ｅが形状記憶効果によって伸長するので、第２のスプリング８ｆのバネ力に打ち勝ってプランジャ８ｄを図３に示すように左方向に移動させる。これにより、プランジャ８ｄの弁部８ｄ1 が弁座８ａ1 に当接して閉止状態となり、薬液の通過を阻止することとなって高温の薬液による火傷等の事故を防止することができる。
【００２０】
以上のことから、前記薬液の吐出において、温度検出器の故障等によって異常に薬液タンク１内の薬液の温度が上昇した場合には、前記した安全バルブ８によって異常加熱の薬液が吐出されないことから、火傷等の事故を未然に防止することができる。
【００２１】
【発明の効果】
本発明は前記したように、薬液タンク内の薬液をポンプによって洗浄し管から温度監視を行わないで直接吐出するもの、また吐出する薬液の温度を検知するために薬液タンク内に温度検知器等が設けられているものについては、温度検知器等の故障等により温度検知器が動作しない場合などであっても、異常に高い薬液が通過すると薬液の通過が遮断されるため、患者は薬液による火傷等を起こすことはない。
【００２２】
また薬液タンクと洗浄し管を接続するパイプに流通する薬液温度が一定値を越えた場合に遮断する形状記憶合金性バネを使用しているため、簡易な構造でかつ安価にできる。
【図面の簡単な説明】
【図１】安全バルブが設けられる医療消毒液加熱装置の全体図である。
【図２】安全バルブの開状態を示す断面図である。
【図３】安全バルブの閉状態を示す断面図である。
【符号の説明】
１        薬液タンク
１ａ      ヒータ
１ｂ      フロースイッチ
１ｃ      温度検知器
２        排出口
３        ホース
４        ポンプ
５        開閉バルブ
７        ホース
８        安全バルブ
８ａ      ジョイントブロック
８ｂ，８ｃ継ぎ手
８ｄ      プランジャ
８ｅ      第１のスプリング
８ｆ      第２のスプリング
９        ホース
１０      薬液し管
【図１】
0004039651.tif 000002
【図２】
0004039651.tif 000003
【図３】
0004039651.tif 000004